【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
コンテンツを公開するサーバ装置と、コンテンツを転送する中間装置と、を含み、コンテンツを１つ以上のセグメントに分割して配信し、中間装置は転送したセグメントをその後の配信のために保持できる、コンテンツ配信システムの前記サーバ装置であって、
コンテンツを保持する保持手段と、
コンテンツのセグメントを示す配信要求メッセージを受信すると、当該セグメントをフラグ情報と共に配信する配信手段と、
を備えており、
前記配信手段は、コンテンツの少なくとも１つのセグメントについてはフラグ情報を所定値に設定して配信し、
セグメントのフラグ情報が前記所定値であることは、当該セグメントを保持する中間装置が当該セグメントを示す配信要求メッセージを受信した際に、当該中間装置は、保持している当該セグメントを配信することなく、当該セグメントを示す配信要求メッセージを前記サーバ装置に転送することを示していることを特徴とするサーバ装置。
【請求項２】
コンテンツを公開するサーバ装置と、コンテンツを転送する中間装置と、を含み、コンテンツを１つ以上のセグメントに分割して配信し、中間装置は転送したセグメントをその後の配信のために保持できる、コンテンツ配信システムの前記サーバ装置であって、
コンテンツを保持する保持手段と、
コンテンツのセグメントを示す配信要求メッセージを受信すると、当該セグメントをフラグ情報と共に配信する配信手段と、
を備えており、
前記配信手段は、コンテンツの少なくとも１つのセグメントについてはフラグ情報を所定値に設定して配信し、
セグメントのフラグ情報が前記所定値であることは、当該セグメントを保持する中間装置が当該セグメントを示す配信要求メッセージに応答して当該セグメントの配信を行ったことを、前記サーバ装置に通知することを示していることを特徴とするサーバ装置。
【請求項３】
セグメントのフラグ情報は、当該セグメントを保持する中間装置が当該セグメントを配信のために使用する期間を示していることを特徴とする請求項１又は２に記載のサーバ装置。
【請求項４】
コンテンツを公開するサーバ装置と、コンテンツを転送する中間装置と、を含み、コンテンツを１つ以上のセグメントに分割して配信し、中間装置は転送したセグメントをその後の配信のために保持できる、コンテンツ配信システムの前記サーバ装置であって、
コンテンツを保持する保持手段と、
コンテンツのセグメントを示す配信要求メッセージを受信すると、当該セグメントをフラグ情報と共に配信する配信手段と、
を備えており、
前記配信手段は、コンテンツの少なくとも１つのセグメントについてはフラグ情報を所定値に設定して配信し、
セグメントのフラグ情報が前記所定値であることは、当該セグメントを中間装置は保存できないことを示していることを特徴とするサーバ装置。
【請求項５】
コンテンツを公開するサーバ装置と、コンテンツを転送する中間装置と、を含み、コンテンツを１つ以上のセグメントに分割して配信し、中間装置は転送したセグメントをその後の配信のために保持できる、コンテンツ配信システムの前記サーバ装置であって、
コンテンツを保持する保持手段と、
コンテンツのセグメントを示す配信要求メッセージを受信すると、当該セグメントをフラグ情報と共に配信する配信手段と、
を備えており、
セグメントのフラグ情報は、当該セグメントを保持する中間装置が当該セグメントを配信のために使用する期間を示し、
前記配信手段は、コンテンツの少なくとも１つのセグメントのフラグ情報を、他のセグメントより小さい値に設定して配信することを特徴とするサーバ装置。
【請求項６】
コンテンツを公開するサーバ装置と、コンテンツを転送する中間装置と、を含み、コンテンツを１つ以上のセグメントに分割して配信し、中間装置は転送したセグメントをその後の配信のために保持できる、コンテンツ配信システムの前記中間装置であって、
セグメントを保持する保持手段と、
保持していないセグメントを示す配信要求メッセージを受信した場合、前記受信した配信要求メッセージを前記サーバ装置に向けて転送する通信手段と、
を備えており、
前記通信手段は、前記サーバ装置に向けて転送した配信要求メッセージの応答として、セグメントと、当該セグメントのフラグ情報を受信すると、受信したセグメント及びフラグ情報を前記保持手段に保持させ、かつ、受信したセグメントを前記配信要求メッセージの送信元の装置に向けて転送し、
前記通信手段は、保持しているセグメントを示す配信要求メッセージを受信した場合、当該セグメントのフラグ情報が所定値であると、当該セグメントの配信を前記サーバ装置に通知することを特徴とする中間装置。
【請求項７】
コンテンツを公開するサーバ装置と、コンテンツを転送する中間装置と、を含み、コンテンツを１つ以上のセグメントに分割して配信し、中間装置は転送したセグメントをその後の配信のために保持できる、コンテンツ配信システムの前記中間装置であって、
セグメントを保持する保持手段と、
保持していないコンテンツのセグメントを示す配信要求メッセージを受信した場合、前記受信した配信要求メッセージを前記サーバ装置に向けて転送し、保持していているコンテンツのセグメントを示す配信要求メッセージを受信した場合、当該セグメントを当該配信要求メッセージの送信元の装置に向けて送信する通信手段と、
を備えており、
前記通信手段は、サーバ装置に向けて転送した配信要求メッセージの応答として、セグメントと、当該セグメントのフラグ情報を受信すると、当該フラグ情報が所定値であるかを判定し、当該フラグ情報が前記所定値であると、当該セグメントを前記保持手段に保持させず、当該フラグ情報が前記所定値ではないと、当該セグメントを前記保持手段に保持させることを特徴とする中間装置。
【請求項８】
コンピュータを請求項１から５のいずれか１項に記載のサーバ装置として機能させることを特徴とするプログラム。
【請求項９】
コンピュータを請求項６又は７に記載の中間装置として機能させることを特徴とするプログラム。
【手続補正２】
【補正対象書類名】明細書
【補正対象項目名】０００９
【補正方法】変更
【補正の内容】
【０００９】
本発明の一側面によると、コンテンツを公開するサーバ装置と、コンテンツを転送する中間装置と、を含み、コンテンツを１つ以上のセグメントに分割して配信し、中間装置は転送したセグメントをその後の配信のために保持できる、コンテンツ配信システムの前記サーバ装置であって、コンテンツを保持する保持手段と、コンテンツのセグメントを示す配信要求メッセージを受信すると、当該セグメントをフラグ情報と共に配信する配信手段と、を備えており、前記配信手段は、コンテンツの少なくとも１つのセグメントについてはフラグ情報を所定値に設定して配信し、セグメントのフラグ情報が前記所定値であることは、当該セグメントを保持する中間装置が当該セグメントを示す配信要求メッセージに応答して当該セグメントの配信を行ったことを、前記サーバ装置に通知することを示していることを特徴とする。
【手続補正３】
【補正対象書類名】明細書
【補正対象項目名】００１２
【補正方法】変更
【補正の内容】
【００１２】
本発明の一側面によると、コンテンツを公開するサーバ装置と、コンテンツを転送する中間装置と、を含み、コンテンツを１つ以上のセグメントに分割して配信し、中間装置は転送したセグメントをその後の配信のために保持できる、コンテンツ配信システムの前記中間装置であって、セグメントを保持する保持手段と、保持していないセグメントを示す配信要求メッセージを受信した場合、前記受信した配信要求メッセージを前記サーバ装置に向けて転送する通信手段と、を備えており、前記通信手段は、前記サーバ装置に向けて転送した配信要求メッセージの応答として、セグメントと、当該セグメントのフラグ情報を受信すると、受信したセグメント及びフラグ情報を前記保持手段に保持させ、かつ、受信したセグメントを前記配信要求メッセージの送信元の装置に向けて転送し、前記通信手段は、保持しているセグメントを示す配信要求メッセージを受信した場合、当該セグメントのフラグ情報が所定値であると、当該セグメントの配信を前記サーバ装置に通知することを特徴とする。